(57)【要約】【課題】  遊技機内で生じる静電気および遊技機外部で生じるノイズから制御基板を保護し、遊技機の正常な処理動作を確保することを目的とする。【解決手段】  遊技板４０裏面には、金属製のランプ・音声基板用プレート５９上にランプ制御基板５７，音声制御基板５８が配設されている。一方、遊技板４０裏面を覆う機構板７０の裏面には、金属製の電源・発射制御基板用プレート８３上に電源基板８１ａおよび発射制御基板８２ａが、金属製の主基板用プレート８５上に主基板８４ａが、払出制御基板用プレート８７上に払出制御基板８６ａが、それぞれ配設されている。各制御基板５７，５８，８１ａ，８２ａ，８４ａ，８６ａのグラウンド層は各プレート５９，８３，８５，８７に接続されている。また、各プレート５９，８３，８５，８７間はＥ〜Ｈ部において互いに導通され、これにより一の金属板領域が形成される。【選択図】        図１
2004305775.tif 000002
【特許請求の範囲】
【請求項１】
遊技用の球を流通させることにより遊技を行なう遊技機であって、
前記遊技に関する動作を制御する複数の制御基板と、
少なくとも該複数の制御基板が配設される範囲に設けられ、所定以上の面積を有する導電性部材と
を備え、
該導電性部材は、少なくとも前記遊技の実行時において、該導電性部材内における導電が可能な状態で設けられており、
該導電性部材に、前記複数の制御基板を、該導電性部材と各制御基板のグラウンド層との接続を確保しつつ配設した
遊技機。
【請求項２】
前記導電性部材が、前記複数の制御基板の合計面積を超える面積を有する請求項１に記載の遊技機。
【請求項３】
請求項１または２に記載の遊技機であって、
前記遊技用の球が流動する通路である球流動通路を備え、
前記導電性部材を、該球流動通路の少なくとも一部を覆う範囲に設けた
遊技機。
【請求項４】
前記球流動通路と該球流動通路を覆う導電性部材との間に樹脂製の板体を設けた請求項３に記載の遊技機。
【請求項５】
請求項１ないし４のいずれかに記載の遊技機であって、
前記導電性部材は、複数の金属板を敷設することにより形成されており、
該複数の金属板を電気的に接続する接続部を備えた
遊技機。
【請求項６】
請求項５に記載の遊技機であって、
表面に遊技領域が形成された遊技盤と、
該遊技盤の裏面に重合して設けられる板体であり、前記遊技の実行に必要な各種機構が装着される機構板と
を備え、
前記複数の金属板のうち、少なくとも一の金属板を前記遊技盤に敷設するとともに、他の金属板を前記機構板に敷設し、
該一の金属板および該他の金属板の少なくとも一方に前記接続部を設け、
該接続部を、前記機構板が前記遊技盤の裏面に重合されたときに前記一の金属板と前記他の金属板とを電気的に接続する態様で設けた
遊技機。
【請求項７】
前記一の金属板または前記他の金属板に設けられる接続部は、前記他の金属板または前記一の金属板方向への弾性力を有する請求項６に記載の遊技機。
【請求項８】
請求項１ないし７のいずれかに記載の遊技機であって、
前記複数の制御基板の一つとして、遊技機に供給された交流電源を直流に変換する電源基板を備え、
該電源基板の周辺に該電源基板以外の他の基板を配設し、
前記電源基板から前記他の基板に前記直流電源を供給する
遊技機。
【発明の詳細な説明】
【技術分野】
【０００１】
本発明は、遊技機に関し、詳しくは、遊技用の球を流通させることにより遊技を行なう遊技機に関する。
【背景技術】
【０００２】
近年、遊技用の球に帯電した静電気の影響が遊技盤裏面の制御基板に及ばないようにする技術が種々提案されている。例えば、遊技用の球として遊技球を流通させ、所定の条件を具備したときに賞球等を払い出す遊技機においては、遊技場の島から供給された遊技球を貯留するタンクを導電性プラスチックで形成し、或いは、タンクからの遊技球の通路であるレールの底面に導電性の金属板を添設し、遊技球に帯電した静電気をタンクや金属板からアースに逃がす手法がある（例えば、特許文献１を参照）。
【０００３】
【特許文献１】特開平６−３９１１８号公報
【発明の開示】
【発明が解決しようとする課題】
【０００４】
しかしながら、従来の手法では、タンクやレールに貯留された遊技球が賞球や貸球の払い出しに伴って上皿や下皿に向けて流動した場合や、遊技中にアウト口に進入した遊技球が機外に向けて流動した場合に、こうした遊技球の流動によって発生した静電気を除去することができなかった。特に、このような遊技球の流路の近傍に制御基板が配設される遊技機の場合には、遊技球の流動に伴って発生する静電気から制御基板を保護する必要があるが、このように発生する静電気からの制御基板の保護手段については従来において有効な提案はされていなかった。
【０００５】
一方、入賞時等における遊技球の流動に伴って発生する静電気から制御基板を保護する手法として、制御基板が配設されるベース部材を導電性とするとともに、このベース部材を外部のアースと導線で接続し、遊技球から飛んだ静電気をベース部材から導線を通じてアースに逃がす構成が考えられる。しかしながら、このように構成すると、遊技機の外部からのノイズが導線を通じてベース部材に伝わりやすくなるため、制御基板が外部からのノイズを拾ってしまい、このノイズにより制御基板の誤作動を招致するおそれがある。
【０００６】
そこで、本発明は、上記の課題を解決し、遊技機内で生じる静電気および遊技機外部で生じるノイズから制御基板を保護し、遊技機の正常な処理動作を確保することを目的として、以下の構成を採った。
【課題を解決するための手段】
【０００７】
本発明の遊技機は、
遊技用の球を流通させることにより遊技を行なう遊技機であって、
前記遊技に関する動作を制御する複数の制御基板と、
少なくとも該複数の制御基板が配設される範囲に設けられ、所定以上の面積を有する導電性部材と
を備え、
該導電性部材は、少なくとも前記遊技の実行時において、該導電性部材内における導電が可能な状態で設けられており、
該導電性部材に、前記複数の制御基板を、該導電性部材と各制御基板のグラウンド層との接続を確保しつつ配設したことを要旨とする。
【０００８】
上記発明の遊技機によれば、遊技機内で発生した静電気が放電して制御基板の周辺に及んだ場合に、この静電気は、制御基板が配設される広い範囲に設けられた導電性部材に分散される。このため、導電性部材中において電位差が生じにくくなり、制御基板の周辺において局所的に高電圧が生じる蓋然性が低くなる。従って、静電気が制御基板にノイズとして作用することを、静電気を外部に逃がすことなく防止することができる。この結果、遊技用の球に帯電した静電気および遊技機外部で生じたノイズによる制御基板の誤作動の可能性を極力低減することが可能となる。
【０００９】
複数の制御基板の合計面積を超える面積分の導電性部材を設けることも好適である。こうすれば、導電性部材中において生じる電位差をより低いレベルにすることができる。
【００１０】
遊技用の球が流動する通路である球流動通路を備え、該球流動通路の少なくとも一部を覆う範囲に導電性部材を設けることも可能である。こうすれば、球流動通路内の球の流動によって発生した静電気を、発生地点の近傍の導電性部材に速やかに導くことができる。
【００１１】
球流動通路と該球流動通路を覆う導電性部材との間に樹脂製の板体を設けてもよい。こうすれば、球流動通路内の球の流動に伴って発生した静電気は、樹脂製の板体に遮られ、導電性部材上の制御基板に直接に及びにくくなる。従って、球の流動中に発生する静電気から制御基板を確実に保護することができる。
【００１２】
導電性部材を、複数の金属板を敷設することにより形成し、該複数の金属板を電気的に接続する接続部を備える構成とすることも望ましい。この構成によれば、複数の金属板が接続部を介して導電可能な状態となり、一の金属板に導かれた静電気は導電性部材の全体に分散される。従って、制御基板の周辺において局所的に高電圧が生じる蓋然性が低くなり、静電気を外部に逃がさなくても、静電気が制御基板にノイズとして作用することを有効に防止することができる。また、こうした複数の金属板上に制御基板を敷設することにより、一の制御基板と他の制御基板とを離れた位置に配置した場合であっても、これらの各制御基板を静電気やノイズから保護することが可能となる。従って、制御基板の正常な処理動作を確保しつつ、制御基板の配置の自由度を高めることができる。
【００１３】
表面に遊技領域が形成された遊技盤と、該遊技盤の裏面に重合して設けられる板体であり、遊技の実行に必要な各種機構が装着される機構板とを備え、前記複数の金属板のうち、少なくとも一の金属板を遊技盤に敷設するとともに、他の金属板を機構板に敷設し、該一の金属板および該他の金属板の少なくとも一方に前記接続部を設け、該接続部を、機構板が遊技盤の裏面に重合されたときに一の金属板と他の金属板とを電気的に接続する態様で設けることも好適である。こうすれば、機構板を遊技盤の裏面に重合したときに一の金属板と他の金属板とが接続部を介して導電可能な状態となる。このため、遊技盤，機構板のそれぞれに制御基板を配設した場合であっても、これらの各制御基板を静電気やノイズから保護することが可能となる。従って、制御基板の正常な処理動作を確保しつつ、多数の制御基板を効率よく配置することができる。
【００１４】
一の金属板または他の金属板に設けられる接続部が、他の金属板または一の金属板方向への弾性力を有する構成としてもよい。こうすれば、機構板を遊技盤の裏面に重合したときに、接続部の弾性力によって一の金属板と他の金属板とを確実に接続することができる。
【００１５】
複数の制御基板の一つとして、遊技機に供給された交流電源を直流に変換する電源基板を備え、該電源基板の周辺に該電源基板以外の他の基板を配設し、電源基板から他の基板に直流電源を供給する構成とすることも望ましい。電源基板から直流電源が供給される他の基板が電源基板の周辺に配設されることで、電源基板から他の基板への直流電源の供給経路が短くなる。従って、供給経路の途中でノイズを拾いにくくなり、制御基板の誤作動が発生する蓋然性をより一層低減することができる。
【発明を実施するための最良の形態】
【００１６】
以上説明した本発明の構成および作用を一層明らかにするために、以下本発明の実施の形態を実施例に基づき説明する。図１は、本発明の特徴を、本発明の実施例であるパチンコ遊技機１０を用いて示す説明図である。この図１では、パチンコ遊技機１０を後面から見たときの様子を示している。なお、以下の説明においては、パチンコ遊技機１０の前面方向から見たときの面を「表面」といい、パチンコ遊技機１０の後面方向から見たときの面を「裏面」という。
【００１７】
図１（Ａ）に示すように、パチンコ遊技機１０の後面には、賞球払出し機構等の各種機構が装着される機構板７０が、遊技領域を備える遊技盤４０の裏面に重合された状態で取り付けられている。
【００１８】
機構板の開口部７０ａ内における遊技盤４０の裏面には、金属製のランプ・音声基板用プレート５９が敷設されている。この金属製のランプ・音声基板用プレート５９上に、図１（Ａ）に二点鎖線で示すように、表示ランプの表示形態を制御するランプ制御基板５７，遊技中に外部に出力する音声の内容を制御する音声制御基板５８という二つの制御基板が配設される。
【００１９】
開口部７０ａの下方の機構板７０の裏面には、金属製の電源・発射制御基板用プレート８３が敷設されている。この電源・発射制御基板用プレート８３上に、図１（Ａ）に二点鎖線で示すように、パチンコ遊技機１０に供給された交流電源を直流に変換して他の制御基板に供給する電源基板８１ａ，遊技用の球である遊技球Ｂの発射動作を制御する発射制御基板８２ａという二つの制御基板が配設される。
【００２０】
また、図１（Ｂ）に示すように、電源基板８１ａや発射制御基板８２ａの上方には、金属製の主基板用プレート８５，金属製の払出制御基板用プレート８７という二つのプレートが、機構板７０の裏面に固定された状態で敷設される。図１（Ｂ）に二点鎖線で示すように、主基板用プレート８５上には図柄の表示等の遊技に伴う動作を制御する主基板８４ａが配設され、払出制御基板用プレート８７上に賞球や貸球の払出し動作を制御する払出制御基板８６ａが配設される。
【００２１】
本実施例では、電源・発射制御基板用プレート８３と払出制御基板用プレート８７とを図１（Ｂ）に示すＥ部において導通するとともに、払出制御基板用プレート８７と主基板用プレート８５とを図１（Ｂ）に示すＦ部において導通し、図１（Ｂ）に示すＧ部において主基板用プレート８５と電源・発射制御基板用プレート８３とを導通する。加えて、図１（Ｂ）に示すＨ部において主基板用プレート８５とランプ・音声基板用プレート５９とを導通する。これにより、四つのプレート５９，８３，８５，８７間は主基板用プレート８５を介して導電可能な状態となり、四つのプレート５９，８３，８５，８７により一の金属板領域が形成される。この金属板領域を形成する一連の部材が、特許請求の範囲にいう導電性部材に相当する。即ち、本発明は、このように六つの制御基板５７，５８，８１ａ，８２ａ，８４ａ，８６ａの合計面積を超える面積を有する金属板領域上に各制御基板５７，５８，８１ａ，８２ａ，８４ａ，８６ａを配設することにより、遊技球Ｂに生じた静電気や外部で生じたノイズから各制御基板５７，５８，８１ａ，８２ａ，８４ａ，８６ａを有効に保護することを特徴とするものである。
【００２２】
次に、本実施例のパチンコ遊技機１０の全体構成について図２および図３を参照しつつ説明する。図２，図３は、それぞれパチンコ遊技機１０の前面，後面を示している。図２に示すように、パチンコ遊技機１０は、木製の外枠１２と、この外枠１２の外側側面にセットされるプリペイドカードユニット１５を備える。
【００２３】
プリペイドカードユニット１５は、貸球数の情報が記録されたプリペイドカードを挿入することにより所定数の遊技球Ｂを上皿２４に供給する装置であり、ＡＣ１００ボルトのカードユニット電源コード１７（図３を参照）と、度数表示部１６ａ，貸出ボタン１６ｂ，貸出ボタンランプおよび返却ボタン１６ｃを有する案内ユニット１６を備える。このプリペイドカードユニット１５によって貸球がなされる仕組みについては後述する。
【００２４】
パチンコ遊技機１０は、外枠１２に内枠用ヒンジ１３を介して開閉可能に軸着される内枠２０を備える。この内枠２０に装着される各部品について以下説明する。内枠２０の枠内に形成された開口部には、予め描画シートが貼着された遊技盤４０が嵌め込まれており、この遊技盤４０はガラス枠２２のガラス面で覆われている。ガラス枠２２は、遊技状況に応じて点滅ないし点灯する表示ランプ２３をガラス面の周囲に備える。このガラス枠２２は、内枠２０の一片側（図２では向かって左側）の内側面に装着されたガラス枠用ヒンジ２１を介して開閉可能に軸着される。
【００２５】
ガラス枠２２の下方には、貸球や賞球としての遊技球Ｂを貯留する上皿２４が設けられている。この上皿２４は、内枠２０の一片側（図２では向かって左側）の内側面に上皿用ヒンジ（図示せず）を介して開閉可能に軸着されている。
【００２６】
なお、ガラス枠用ヒンジ２１および上皿用ヒンジとは反対側（図２では向かって右側）の内枠２０の端部には、ガラス枠２２および上皿２４を閉じたときにガラス枠２２裏側の係合部および上皿用ヒンジ裏側の係合部に係合する係合金具２９が装着されている。上記各係合部が係合金具２９に係合することにより、ガラス枠２２および上皿２４は、図２に示すような閉じた状態に保たれる。ガラス枠２２の係合部と係合金具２９との係合状態は、鍵穴飾り２７に設けられた錠２８の解錠操作によって係合金具２９の一部が移動することによって解除される。これにより、ガラス枠２２はガラス枠用ヒンジ２１を中心として回転可能となり、ガラス枠２２を開くことができる。また、上皿２４の係合部と係合金具２９との係合状態は、ガラス枠２２を開いた後に上皿２４裏面と内枠２０表面との間に指を入れ、係合金具２９の一部を押圧移動させることによって解除される。これにより、上皿２４は上皿用ヒンジを中心として回転可能となり、上皿２４を開くことができる。
【００２７】
上皿２４よりも下方の内枠２０表面には、上皿２４の容量を越えて払い出された遊技球Ｂを貯留する下皿２５、発射ハンドル２６ａの回転操作によって上皿２４から供給された遊技球Ｂを遊技領域に向けて発射する発射操作ユニット２６等が取り付けられている。また、上皿２４を開けたときに露出する内枠２０表面には、発射ハンドル２６ａの回転操作により発射された遊技球を外レール５１に案内する発射レール３０が装着されている。
【００２８】
一方、内枠２０の裏面には、図３に示すように、上皿２４および発射操作ユニット２６の取り付け位置に対応する位置に、発射モータや打球竿等からなる発射機構ユニット３１が取り付けられる。また、内枠２０の片側（図３では向かって右側）の側面には、後述する機構板７０を軸受けするための金属製の受け金具３３が螺着されている。なお、内枠２０裏面における開口部の左右には、嵌め込まれた遊技盤４０を内枠２０の裏面側から支持する支持片３２ａ，３２ｂが軸着されている。この左右の支持片３２ａ，３２ｂを軸を中心として回転させた後に遊技盤４０を引き出すことにより、遊技盤４０を内枠２０の裏面側から取り外すことができる。
【００２９】
次に、遊技盤４０について説明する。図２に示すように、遊技盤４０の表面には、発射操作ユニット２６により発射された遊技球Ｂを遊技領域まで誘導する外レール５１および内レール４９、遊技領域に出た遊技球Ｂの内レール４９側への戻りを防止するファール球止め５０、返しゴム５２、遊技領域において打球が流下する方向を変化させる多数の障害釘、遊技領域において打球が流下する速度や方向を変化させる風車４７およびランプ風車４８、遊技領域を流下する遊技球が進入可能な数個の普通入賞口４３および一個の始動入賞口４４、遊技球Ｂの普通図柄表示装置作動ゲート４５の通過に伴って動作する普通図柄表示装置４２、遊技球Ｂの始動入賞口４４への進入に伴って図柄変動を開始する特別図柄表示装置４１、特別図柄表示装置４１によって特定図柄が表示されたときに開く大入賞口４６、各入賞口４３，４４，４６への入賞状況に応じて種々の形態で点灯ないし点滅する表示ランプ５４等の各種部品が装着されている。また、遊技盤４０の中央下部には、遊技領域において入賞しなかった遊技球Ｂの入口であるアウト口５３が形成されている。このような各部により、ガラス枠２２越しの遊技盤４０上に遊技領域が形成される。
【００３０】
一方、遊技盤４０の裏面には、図３に示すように、特別図柄表示装置４１として機能する液晶表示器５６、表示ランプ２３，５４の表示形態を制御するランプ制御基板５７、外部に出力する音声の内容を特別図柄表示装置４１の動作状況に応じて制御する音声制御基板５８が、電気配線と共に取り付けられている。なお、ランプ制御基板５７および音声制御基板５８は、金属製のランプ・音声基板用プレート５９を介して遊技盤４０に取り付けられる。こうした液晶表示器５６、ランプ制御基板５７、音声制御基板５８は、図示しない樹脂製のカバーによって覆われている。
【００３１】
次に、樹脂製の機構板７０について説明する。図３に示すように、機構板７０の側面の二箇所には金属製の機構板用ヒンジ７１，７９が螺着されている。この機構板用ヒンジ７１，７９を内枠２０に装着された受け金具３３にセットすることにより、機構板７０は、遊技盤４０を挟んで開閉ないし係脱可能に装着される。
【００３２】
機構板７０の略中央には矩形の開口部７０ａが形成されている。図３に示すように、機構板７０を閉じた状態において、遊技盤４０裏面の液晶表示器５６，ランプ制御基板５７および音声制御基板５８は上記開口部７０ａ内に納まっている。
【００３３】
機構板７０の裏面には、遊技場の球供給装置から供給される遊技球を一時的に貯留する球タンク７２、球タンク７２から賞球／貸球払出しユニット７５までを連通するタンクレール７３およびケースレール７４が取り付けられている。図３に示すように、最上部に取り付けられた球タンク７２の下部には二つの凸部７２ａ，７２ｂが形成されている。これらの凸部７２ａ，７２ｂはタンクレール７３の上端と接触している。また、タンクレール７３の末端はケースレール７４の始端と接触した状態となっている。
【００３４】
ケースレール７４の末端には、保護カバー７６ａ，７６ｂ付きの賞球／貸球払出しユニット７５および鈴桶カバー７８付きの鈴桶ベース７７が連接されている。これらのケースレール７４，賞球／貸球払出しユニット７５、鈴桶ベース７７は、図３に示すように、機構板７０の裏面に敷設された矩形の金属板９０上に金属板９０と接触した状態で設置されている。また、ケースレール７４の始端と接するタンクレール７３の末端も、金属板９０上に金属板９０と接触した状態で設置されている。この金属板９０，ケースレール７４，賞球／貸球払出しユニット７５および鈴桶ベース７７の機構板７０への設置態様については後述する。
【００３５】
機構板７０におけるケースレール７４上方の領域には電源・外部端子ユニット８０が装着されている。電源・外部端子ユニット８０は、遊技場の島からＡＣ２４ボルトの電源をパチンコ遊技機１０内に導入するための遊技機電源コード８０ｂ、操作により供給電源のオン／オフを行なう電源スイッチ８０ａ、パチンコ遊技機１０に発生した特定図柄の表示による大当たり回数等を外部に出力する遊技盤用外部端子板８０ｃ、球貸しや球切れ，賞球に関する情報を外部に出力する枠用外部端子板８０ｄから構成されている。遊技機電源コード８０ｂから導入されたＡＣ２４ボルトの電源は、電気配線を通じて後述する電源ユニット８１に送られる。
【００３６】
開口部７０ａの下方には、電源基板８１ａを有する電源ユニット８１および発射制御基板８２ａを有する発射制御ユニット８２が、金属製の電源・発射制御基板用プレート８３を介して機構板７０の裏面に取り付けられている。また、機構板７０の裏面には、電源ユニット８１および発射制御ユニット８２の上面の一部を覆うように、金属製の主基板用プレート８５が螺着されており、この主基板用プレート８５上に主基板８４ａを有する主制御ユニット８４が取り付けられている。また、機構板７０の裏面には、鈴桶カバー７８の上面および電源ユニット８１の上面の一部を覆うように、金属製の払出制御基板用プレート８７が螺着されており、この払出制御基板用プレート８７上に払出制御基板８６ａを有する払出制御ユニット８６が取り付けられている。
【００３７】
外部端子ユニット８０と電気配線を介して接続された電源ユニット８１は、遊技機電源コード８０ｂから送られてきた交流電源を直流に変換し、変換された直流電源を、給電線を通じて液晶表示器５６、ランプ制御基板５７、音声制御基板５８、発射制御ユニット８２、主制御ユニット８４および払出制御ユニット８６等の各制御パーツに供給する。発射制御ユニット８２は発射機構ユニット３１の発射動作を制御する。主制御ユニット８４は、特別図柄表示装置４１や普通図柄表示装置４２における図柄の表示動作等の遊技に伴う動作を制御する。払出制御ユニット８６は、賞球／貸球払出しユニット７５による払出し動作を制御する。
【００３８】
電源ユニット８１周辺における電源の入出力配線の状態を図４に示す。この図４では、電源・外部端子ユニット８０からのＡＣ２４ボルトの電源を入力する配線を太い二点鎖線で、変換後のＤＣ５ボルトの電源を出力する給電線を太い実線で、それぞれ示す。
【００３９】
図４に示すように、発射制御ユニット８２，主制御ユニット８４，払出制御ユニット８６、ランプ制御基板５７および音声制御基板５８は、電源ユニット８１の周辺領域に配置されている。このため、発射制御ユニット８２，主制御ユニット８４，払出制御ユニット８６、ランプ制御基板５７および音声制御基板５８と電源ユニット８１とを接続する給電線の長さは、それぞれ、電源ユニット８１からほぼ最短の長さとされている。
【００４０】
このような配置を採ることにより、電源基板８１ａから各制御基板５７，５８，８１ａ，８２ａ，８４ａ，８６ａへの直流電源の供給経路が短くなる。従って、供給経路の途中でノイズを拾いにくくなり、制御基板５７，５８，８１ａ，８２ａ，８４ａ，８６ａの誤作動が発生する蓋然性を従来よりも低減することができる。
【００４１】
図３に戻って説明する。図３に二点鎖線で示すように、機構板７０の表面には、遊技球Ｂを誘導する各種の通路が設けられている。一つは、賞球や貸球として払い出される遊技球Ｂを上皿２４に導く通路である案内路７０ｂである。また、上皿２４の容量を越えて払い出された遊技球Ｂを下皿２５に導く通路である分岐路７０ｃ、アウト口５３に進入した遊技球Ｂをアウト球として機外へ排出する通路であるアウト球排出通路７０ｄも設けられている。この分岐路７０ｃ，アウト球排出通路７０ｄが、特許請求の範囲における球流動通路に相当する。
【００４２】
図５は機構板７０の表面を略記して示す説明図である。この図５では、機構板７０の裏面に取り付けられる電源・発射制御基板用プレート８３，主基板用プレート８５，払出制御基板用プレート８７および金属板９０に関し、機構板７０裏面と接する部分を点線で、機構板７０裏面と接する部分を二点鎖線で示している。また、図５では機構板用ヒンジ７１，７９の記載を省略している。
【００４３】
図５に示すように、樹脂製の機構板７０の表面には、案内路７０ｂ，分岐路７０ｃおよびアウト球排出通路７０ｄが機構板７０と一体として形成されている。この分岐路７０ｃおよびアウト球排出通路７０ｄの形成範囲に対応する機構板７０の裏面には、電源・発射制御基板用プレート８３が敷設される。電源・発射制御基板用プレート８３は、分岐路７０ｃないしアウト球排出通路７０ｄの一部を覆う範囲に敷設されており、案内路７０ｂの近傍の範囲にも敷設される。これにより、分岐路７０ｃおよびアウト球排出通路７０ｄと電源・発射制御基板用プレート８３の間には樹脂製の機構板７０が介在する状態となっている。
【００４４】
金属板９０，ケースレール７４，賞球／貸球払出しユニット７５および鈴桶ベース７７が機構板７０に取り付けられる様子を図６に示す。図６に示すように、機構板７０には、賞球や貸球として払い出された遊技球Ｂを上皿２４，下皿２５に導くに導く案内路７０ｂが、機構板７０を幅方向に貫通することによって設けられている。この案内路７０ｂよりもやや上方（図６に示すｙ方向）に金属板９０が取り付けられる。
【００４５】
図６に示すように、金属板９０の側端部には折曲部９０ａ，９０ｂが形成されており、この折曲部９０ａ，９０ｂは、それぞれ機構板用ヒンジ７１，７９に螺着されている。これにより、金属板９０は、折曲部９０ａ，９０ｂを介して機構板用ヒンジ７１，７９と導通可能な状態となる。もとより、金属板９０と機構板用ヒンジ７１，７９とを予め一体的に形成しておいても差し支えない。
【００４６】
金属板９０上の下方位置（図６に示す−ｙ方向寄りの位置）には鈴桶ベース７７が取り付けられる。この鈴桶ベース７７内には、賞球ないし貸球として払い出された遊技球Ｂの通路７７ａが形成されており、この通路７７ａの中央にはベル７７ｃが装着されている。
【００４７】
また、鈴桶ベース７７が取り付けられたときに案内路７０ｂ，分岐路７０ｃと対向する位置には、通路７７ａ内の遊技球Ｂを上皿２４方向に排出するための第一出口７７ｂ，通路７７ａ内の遊技球Ｂを下皿２５方向に排出するための第ニ出口７７ｆが形成されている。この第一出口７７ｂと第ニ出口７７ｆとの間には、仕切り板７７ｅが立設される。仕切り板７７ｅの上方には、ガイド板７７ｄが下向きの傾斜で設けられている。このガイド板７７ｄは、第ニ出口７７ｆを覆う範囲に設けられる。
【００４８】
鈴桶ベース７７の通路７７ａの上方（図６に示すｙ方向）には賞球／貸球払出しユニット７５が装着される。賞球／貸球払出しユニット７５の装着位置よりも下方（図６に示す−ｙ方向）の鈴桶ベース７７は鈴桶カバー７８によって覆われている。鈴桶カバー７８の頂面の一箇所には有底孔７８ａが設けられており、この有底孔７８ａの孔内には、後述する主基板用プレート８５および払出制御基板用プレート８７取り付け用のナットが埋め込まれている。
【００４９】
賞球／貸球払出しユニット７５は、その内部に、モータ７５ａ，７５ｂを動力源として開閉するニ個のストッパ（図示せず）を備える。このストッパが閉成状態となることによりケースレール７４からの遊技球Ｂの流下が塞き止められる。なお、賞球／貸球払出しユニット７５の頂面には、モータ７５ａ，７５ｂをそれぞれ覆うようにニ個の保護カバー７６ａ，７６ｂが装着される。
【００５０】
賞球／貸球払出しユニット７５の、図６に示す−ｙ方向側の底部には、各ストッパの位置から連通された賞球排出口７５ｃ，貸球排出口７５ｄが形成されている。また、賞球／貸球払出しユニット７５内の賞球排出口７５ｃ，貸球排出口７５ｄの近傍には、賞球排出口７５ｃ，貸球排出口７５ｄから排出された賞球，貸球としての遊技球Ｂの数を検知する賞球／貸球センサ（図示せず）が埋め込まれている。
【００５１】
図６におけるケースレール７４は、上下にニ分割された組み合わせ前の状態を表わしている。金属板９０の上方位置に取り付けられるケースレール７４内には、タンクレール７３から流れてきた遊技球Ｂが進入する進入口７４ａ、進入口７４ａから進入した遊技球Ｂを賞球用通路７４ｃと貸球用通路７４ｄとに分岐する分岐壁７４ｂ、分岐された遊技球Ｂの出口である賞球用遊技球通過口７４ｅ，貸球用遊技球通過口７４ｆが形成されている。
【００５２】
以上説明した球タンク７２、タンクレール７３、ケースレール７４、賞球／貸球払出しユニット７５、鈴桶ベース７７、鈴桶カバー７８，案内路７０ｂおよび分岐路７０ｃによって、賞球や貸球としての遊技球Ｂの上皿２４や下皿２５への払出し通路が形成される。即ち、パチンコ遊技機１０では、入賞や球貸しのない場合には、賞球／貸球払出しユニット７５内のニ個のストッパが閉止した状態となる。このため、遊技球Ｂの流下がニ個のストッパによって塞き止められ、球タンク７２、タンクレール７３およびケースレール７４内は遊技球Ｂが貯留した状態となる。
【００５３】
一方、遊技中に普通入賞口４３または大入賞口４６に遊技球Ｂが進入した場合には、この遊技球Ｂの進入を検知した払出制御ユニット８６が賞球排出口７５ｃ側のストッパの開成を指示する。この結果、ケースレール７４の賞球用通路７４ｃに貯まっていた遊技球Ｂは、賞球用遊技球通過口７４ｅから賞球／貸球払出しユニット７５内の賞球排出口７５ｃを通じて鈴桶ベース７７の通路７７ａに進入する。通路７７ａに進入した遊技球Ｂは、ベル７７ｃに衝突してベル７７ｃを鳴らした後、ガイド板７７ｄに案内されて第一出口７７ｂに向けて流下し、第一出口７７ｂから案内路７０ｂに排出される。これにより、賞球としての所定数の遊技球Ｂが案内路７０ｂを通ってパチンコ遊技機１０前面側の上皿２４に払い出される。
【００５４】
上皿２４の容量を越える遊技球Ｂが払い出されると、遊技球Ｂは案内路７０ｂから上皿２４に流れることができなくなる。この結果、案内路７０ｂおよび第一出口７７ｂが遊技球Ｂで閉塞され、鈴桶ベース７７内の第一出口７７ｂ付近の下部に遊技球Ｂが滞留していく。遊技球Ｂが仕切り板７７ｅを超える高さにまで滞留すると、遊技球Ｂは仕切り板７７ｅを乗り越えて第ニ出口７７ｆに向けて流下し、第ニ出口７７ｆから分岐路７０ｃに排出される。これにより、賞球としての遊技球Ｂが分岐路７０ｃを通ってパチンコ遊技機１０前面側の下皿２５に払い出される。
【００５５】
また、プリペイドカードユニット１５にプリペイドカードが挿入された後に案内ユニット１６の貸出ボタン１６ｂが押された場合には、貸球数の情報を検知した払出制御ユニット８６が貸球排出口７５ｄ側のストッパの開成を指示する。この結果、ケースレール７４の貸球用通路７４ｄに貯まっていた遊技球Ｂは、貸球用遊技球通過口７４ｆから賞球／貸球払出しユニット７５内の貸球排出口７５ｄを通じて鈴桶ベース７７の通路７７ａに進入する。通路７７ａに進入した遊技球Ｂは、ベル７７ｃに衝突してベル７７ｃを鳴らしながら第一出口７７ｂに向けて流下し、第一出口７７ｂから案内路７０ｂに排出される。これにより、貸球としての所定数の遊技球Ｂが案内路７０ｂを通ってパチンコ遊技機１０前面側の上皿２４に払い出される。遊技球Ｂが上皿２４の容量を越えて払い出された場合には、賞球時と同様に、貸球としての遊技球Ｂが第ニ出口７７ｆから分岐路７０ｃを通ってパチンコ遊技機１０前面側の下皿２５に払い出される。
【００５６】
このような賞球や貸球の払出しに伴い、ケースレール７４，タンクレール７３，球タンク７２に貯まっていた遊技球Ｂが、順次に賞球／貸球払出しユニット７５に向かうように移動する。賞球や貸球の払出しにより、球タンク７２への貯留数が一定数以下であることが検出された場合には、この検出結果を受け取った枠用外部端子板８０ｄからの指示に基づき、遊技場の球供給装置から球タンク７２に遊技球Ｂが補給される。
【００５７】
なお、払い出された賞球や貸球の数は、賞球／貸球払出しユニット７５内に設けられた賞球／貸球センサ（図示せず）によって検知される。賞球／貸球センサは所定数の払出しを検知したときに検知結果を払出制御ユニット８６に送出し、検知結果を受け取った払出制御ユニット８６は、賞球排出口７５ｃ側ないし貸球排出口７５ｄ側のストッパの閉成を指示する。ストッパの閉成により、賞球用遊技球通過口７４ｅないし貸球用遊技球通過口７４ｆからの遊技球Ｂの流下が停止される。この結果、球タンク７２、タンクレール７３およびケースレール７４内は、入賞ないし球貸し発生前と同様の遊技球Ｂが貯留した状態に戻る。
【００５８】
機構板７０裏面における各種制御基板の取り付け状態を図７に示す。図７に示すように、機構板７０裏面には、電源・発射制御基板用プレート８３が、金属板９０と非接触の状態で装着されている。この電源・発射制御基板用プレート８３上には、電源基板８１ａおよび電源基板８１ａを覆うカバー８１ｗを有する電源ユニット８１、発射制御基板８２ａおよび発射制御基板８２ａを覆うカバー８２ｗを有する発射制御ユニット８２が横並びで螺着される。電源・発射制御基板用プレート８３は、電源基板８１ａおよび発射制御基板８２ａの合計面積よりも広い面積で形成されている。
【００５９】
図７に示すように、電源・発射制御基板用プレート８３の向かい合う長辺側の端部には、四つのねじ部８３ａ〜ｄおよび四つの位置決め部８３ｉ〜ｌが、所定の間隔をおいて設けられている。ねじ部８３ａ〜ｄおよび位置決め部８３ｉ〜ｌは、電源・発射制御基板用プレート８３の表面から一定の高さに立設されており、立設されたねじ部８３ａ〜ｄ頂面の中央には、内周壁に雌ねじ溝が切られたねじ孔が穿設されている。
【００６０】
電源・発射制御基板用プレート８３における一の短辺側の端部（図７では向かって左側の端部）は、その中央付近が延出された形状となっている。この延出された形状の部分を、以下、延出部８３ｑという。この延出部８３ｑの略中央には、ボルトを挿入可能な内径を有する一の貫通孔８３ｒが形成されている。この貫通孔８３ｒは、電源・発射制御基板用プレート８３を機構板７０裏面の装着位置に合わせたときに機構板７０裏面に埋め込まれたナット（図示せず）と重なり合う位置に形成されている。
【００６１】
図７に示すように、発射制御基板８２ａの四隅には、発射制御基板８２ａを貫通することによって四つの取付孔が形成されている。また、カバー８２ｗは、透明色の樹脂を用いて形成されており、カバー８２ｗ頂面の四隅には、カバー８２ｗを貫通することによって四つのねじ挿入孔が形成されている。
【００６２】
電源・発射制御基板用プレート８３に発射制御ユニット８２を装着する手法について説明する。まず、ねじ部８３ａ〜ｄおよび位置決め部８３ｉ〜ｌ上に発射制御基板８２ａを載せ、発射制御基板８２ａの四つの取付孔を各ねじ部８３ａ〜ｄのねじ孔の位置に合わせる。次に、発射制御基板８２ａの上方からカバー８２ｗを被せ、カバー８２ｗの四つのねじ挿入孔を発射制御基板８２ａの四つの取付孔の位置に合わせる。このように位置を合わせた後、カバー８２ｗの各ねじ挿入孔から、発射制御基板８２ａの各取付孔，各ねじ部８３ａ〜ｄのねじ孔に金属製の雄ねじを挿入し、各雄ねじを締め付けて各ねじ部８３ａ〜ｄのねじ孔に螺合する。これにより、発射制御ユニット８２の電源・発射制御基板用プレート８３への装着が完了する。なお、発射制御ユニット８２が装着された状態において、発射制御基板８２ａと電源・発射制御基板用プレート８３面との間には、ねじ部８３ａ〜ｄおよび位置決め部８３ｉ〜ｌの高さ分の空間が形成される。
【００６３】
なお、位置決め部８３ｉ〜ｌは、発射制御基板８２ａの四つの取付孔を各ねじ部８３ａ〜ｄのねじ孔の位置に合わせたときに発射制御基板８２ａのグラウンド層に当接する位置に設けられている。従って、発射制御ユニット８２が電源・発射制御基板用プレート８３に装着されることにより、発射制御基板８２ａは、そのグラウンド層が位置決め部８３ｉ〜ｌを介して電源・発射制御基板用プレート８３に接続された状態となる。
【００６４】
電源・発射制御基板用プレート８３上の電源ユニット８１が装着される領域には、発射制御ユニット８２の装着領域と同様の形態で、四つのねじ部８３ｅ〜ｈおよび四つの位置決め部８３ｍ〜ｐが電源・発射制御基板用プレート８３と一体として設けられる。
【００６５】
図７に示すように、電源基板８１ａ，カバー８１ｗ頂面の四隅には、それぞれ電源基板８１ａ，カバー８１ｗを貫通することにより四つの取付孔，四つのねじ挿入孔が形成される。また、図７に示したカバー８１ｗを被せた状態においてねじ部８３ｅの近傍に位置するカバー８１ｗの側面には、スリット８１ｗｓが形成されている。
【００６６】
電源ユニット８１は、前記した発射制御ユニット８２と同様に、四つのねじ部８３ｅ〜ｈ上の電源基板８１ａおよびカバー８１ｗを金属製の雄ねじで締め付けることにより、電源・発射制御基板用プレート８３に装着される。図７では、電源・発射制御基板用プレート８３への電源ユニット８１の装着がほぼ完了した状態を示している。図７に示すように、電源ユニット８１が装着された状態において、電源基板８１ａと電源・発射制御基板用プレート８３面との間には、ねじ部８３ｅ〜ｈおよび位置決め部８３ｍ〜ｐの高さ分の空間が形成される。
【００６７】
位置決め部８３ｍ〜ｐは、電源基板８１ａの四つの取付孔を各ねじ部８３ｍ〜ｐのねじ孔の位置に合わせたときに電源基板８１ａのグラウンド層に当接する位置に設けられている。従って、電源ユニット８１が電源・発射制御基板用プレート８３に装着されることにより、電源基板８１ａは、そのグラウンド層が位置決め部８３ｍ〜ｐを介して電源・発射制御基板用プレート８３に接続された状態となる。
【００６８】
カバー８１ｗは透明色の樹脂を用いて形成されているため、図７に示すように、電源ユニット８１を装着した後においても、電源基板８１ａの状態をカバー８１ｗ越しに見ることができる。なお、四箇所のねじ部８３ｅ〜ｈのうち、ねじ部８３ｅへの雄ねじの挿入ないし締め付けは、後述する払出制御基板用プレート８７の装着時に行なわれる。
【００６９】
こうして電源・発射制御基板用プレート８３に電源ユニット８１および発射制御ユニット８２が装着された後、電源ユニット８１および発射制御ユニット８２の上方を覆うように主基板用プレート８５が装着される。この主基板用プレート８５は主基板８４ａよりも広い面積で形成されている。
【００７０】
図７に示すように、主基板用プレート８５における一の短辺側の端部（図７では向かって右側の端部）は、その一部が略水平方向に延出された形状となっている。この延出された形状の部分を、以下、延出部８５ｓという。
【００７１】
一方、主基板用プレート８５における他の短辺側の端部（図７では向かって左側の端部）には、略鉛直下方向に延出された形状の脚部８５ｐが設けられている。この脚部８５ｐは、カバー８２ｗの全高をやや超える長さ分だけ延出されており、その延出終端には、延出部８５ｓとは反対側の略水平方向に延出された水平部８５ｑが形成されている。脚部８５ｐ，水平部８５ｑは、主基板用プレート８５を予め折れ曲がった形状に成形しておくことにより、主基板用プレート８５と一体として形成される。
【００７２】
水平部８５ｑ，延出部８５ｓのそれぞれの略中央には、ボルトを挿入可能な内径を有する貫通孔８５ｒ，貫通孔８５ｔが形成されている。この貫通孔８５ｒ，貫通孔８５ｔは、主基板用プレート８５を機構板７０裏面の装着位置に合わせたときに、それぞれ電源・発射制御基板用プレート８３の貫通孔８３ｒ，鈴桶カバー７８の有底孔７８ａと重なり合う位置に形成される。
【００７３】
脚部８５ｐの延出終端には、所定の弾性を有する金属製の弾性板９２がビスによって装着されている。この弾性板９２は、図７に示すように、水平部８５ｑが形成された側と反対側の面に斜め上向きの角度で装着される。
【００７４】
また、主基板用プレート８５上には、電源・発射制御基板用プレート８３と同様の形態で、四つのねじ部８５ａ〜ｄ（８５ｃ，８５ｄについては図示せず）および四つの位置決め部８５ｉ〜ｌ（８５ｋ，８５ｌについては図示せず）が主基板用プレート８５と一体として設けられている。
【００７５】
このような主基板用プレート８５を機構板７０裏面に装着する手法について説明する。まず、主基板用プレート８５を発射制御ユニット８２および電源ユニット８１の上方から被せながら、主基板用プレート８５の延出部８５ｓを鈴桶カバー７８の頂面の上に、主基板用プレート８５の水平部８５ｑを電源・発射制御基板用プレート８３の延出部８３ｑの上に、それぞれ載せる。次に、延出部８５ｓの貫通孔８５ｔを有底孔７８ａの位置に合わせるとともに、水平部８５ｑの貫通孔８５ｒを貫通孔８３ｒの位置に合わせる。このように位置を合わせた後、貫通孔８５ｒから貫通孔８３ｒにボルトを挿入し、このボルトを機構板７０裏面に埋め込まれたナットに嵌合する。これにより、主基板用プレート８５が機構板７０裏面に仮固定され、電源・発射制御基板用プレート８３が機構板７０裏面に完全に固定される。
【００７６】
主基板用プレート８５の脚部８５ｐないし水平部８５ｑおよび電源・発射制御基板用プレート８３の延出部８３ｑは、特許請求の範囲における接続部（主基板用プレート８５と電源・発射制御基板用プレート８３とを電気的に接続する接続部）に相当し、水平部８５ｑと延出部８３ｑとが重なり合った部分は、図１に示したＧ部に相当する。つまり、貫通孔８５ｒから貫通孔８３ｒへのボルトの挿入およびナットとの嵌合により、延出部８３ｑと水平部８５ｑとが常に接触する状態に維持され、これにより、主基板用プレート８５と電源・発射制御基板用プレート８３とが導通される。
【００７７】
なお、主基板用プレート８５は、後述する払出制御基板用プレート８７の装着に伴って機構板７０裏面に完全に固定される。主基板用プレート８５が機構板７０裏面に固定された状態における脚部８５ｐの周辺を、機構板７０裏面の正面から見たときの様子を図８に示す。図８に示すように、脚部８５ｐの延出終端は、電源・発射制御基板用プレート８３上に当接しており、その上部は機構板７０の開口部７０ａ上方に位置する。一方、脚部８５ｐに装着された弾性板９２は、脚部８５ｐの延出終端から延出されて、開口部７０ａ内の領域に配置されている。
【００７８】
図７に戻って説明する。主基板８４ａおよび主基板８４ａを覆うカバー８４ｗを有する主制御ユニット８４は、前述した発射制御ユニット８２等と同様に、四箇所における雄ねじの締め付けによって主基板用プレート８５上に装着される。図７では、主基板用プレート８５のねじ部８５ａ〜ｄおよび位置決め部８５ｉ〜ｌ上に主基板８４ａを載せたときの状態を示している。なお、主制御ユニット８４が装着された状態において、主基板８４ａと主基板用プレート８５面との間には、ねじ部８５ａ〜ｄおよび位置決め部８５ｉ〜ｌの高さ分の空間が形成される。
【００７９】
位置決め部８５ｉ〜ｌは、主基板８４ａの四つの取付孔を各ねじ部８５ａ〜ｄのねじ孔の位置に合わせたときに主基板８４ａのグラウンド層に当接する位置に設けられている。従って、主制御ユニット８４が主基板用プレート８５に装着されることにより、主基板８４ａは、そのグラウンド層が位置決め部８５ｉ〜ｌを介して主基板用プレート８５に接続された状態となる。
【００８０】
こうして主基板用プレート８５に主制御ユニット８４が装着された後、鈴桶カバー７８および電源ユニット８１の上方を覆うように払出制御基板用プレート８７が装着される。この払出制御基板用プレート８７は払出制御基板８６ａよりも広い面積で形成されている。
【００８１】
図７に示すように、払出制御基板用プレート８７における一の長辺側の端部（図７では向かって左側の端部）は、その一部が略水平方向に延出された形状となっている。この延出された形状の部分を、以下、延出部８７ｓという。
【００８２】
一方、図７に示すように、払出制御基板用プレート８７における一の短辺側の端部（図７では向かって左側の端部）には、略鉛直下方向に延出された形状の脚部８７ｐが設けられている。この脚部８７ｐは、鈴桶カバー７８付きの鈴桶ベース７７の全高をやや超える長さ分だけ延出されており、その延出終端には、延出部８７ｓ側の略水平方向に延出された水平部８７ｑが形成されている。脚部８７ｐ，水平部８７ｑは、払出制御基板用プレート８７を予め折れ曲がった形状に成形しておくことにより、払出制御基板用プレート８７と一体として形成されている。
【００８３】
水平部８７ｑ，延出部８７ｓのそれぞれの略中央には、ボルトを挿入可能な内径を有する貫通孔８７ｒ，貫通孔８７ｔが形成されている。この貫通孔８７ｒ，貫通孔８７ｔは、払出制御基板用プレート８７を機構板７０裏面の装着位置に合わせたときに、それぞれ主基板用プレート８５の貫通孔８５ｔ，電源ユニット８１装着位置よりもやや下方の機構板７０裏面に埋め込まれたナット８９と重なり合う位置に形成されている。
【００８４】
払出制御基板用プレート８７の水平部８７ｑ上には、図７に示すように、発射制御基板用プレート８３と払出制御基板用プレート８７とを連結する金属製の連結板９４が配置される。連結板９４の一端（図７では向かって右端）には、水平部８７ｑと重なり合う重合部９４ｑが略水平方向に延出されている。また、連結板９４の他端（図７では向かって左端）においては、カバー８１ｗ上のスリット８１ｗｓの幅よりも若干幅狭の差込部９４ａが略水平方向に延出されている。また、重合部９４ｑの略中央には、ボルトを挿入可能な内径の貫通孔９４ｒが、水平部８７ｑの貫通孔８７ｒと対応する位置関係で形成されている。また、差込部９４ａの略中央には、雄ねじを挿入可能な内径の貫通孔９４ｂが、ねじ部８３ｅ上方の電源基板８１ａの取付穴と対応する位置関係で形成されている。
【００８５】
払出制御基板用プレート８７上には、主基板用プレート８５と同様の形態で、四つのねじ部８７ａ〜ｄ（８７ｃ，８７ｄについては図示せず）および四つの位置決め部８７ｉ〜ｌ（８７ｋ，８７ｌについては図示せず）が払出制御基板用プレート８７と一体として設けられている。
【００８６】
このような払出制御基板用プレート８７を機構板７０裏面に装着する手法について説明する。まず、払出制御基板用プレート８７を鈴桶カバー７８および電源ユニット８１の上方から被せながら、払出制御基板用プレート８７の水平部８７ｑを機構板７０のナット８９上に、払出制御基板用プレート８７の延出部８７ｓを主基板用プレート８５の延出部８５ｓ上に、それぞれ載せる。続いて、水平部８７ｑの上に連結板９４の重合部９４ｑを載せるとともに、連結板９４の差込部９４ａを、カバー８１ｗ上のスリット８１ｗｓを貫通させて電源基板８１ａ上に載せる。
【００８７】
次に、延出部８７ｓの貫通孔８７ｔを延出部８５ｓの貫通孔８５ｔの位置に、重合部９４ｑの貫通孔９４ｒを水平部８７ｑの貫通孔８７ｒの位置に、それぞれ合わせるとともに、差込部９４ａの貫通孔９４ｂをねじ部８３ｅ上方の電源基板８１ａの取付穴の位置に合わせる。
【００８８】
このように位置を合わせた後、貫通孔８７ｔから貫通孔８５ｔおよび有底孔７８ａにボルトを挿入し、このボルトを有底孔７８ａ内に埋め込まれたナットに嵌合するとともに、貫通孔９４ｒから貫通孔８７ｒおよび有底孔７８ａにボルトを挿入し、このボルトを機構板７０裏面に埋め込まれたナット８９に嵌合する。これにより、払出制御基板用プレート８７および主基板用プレート８５が機構板７０裏面に完全に固定される。
【００８９】
次に、カバー８１ｗのねじ挿入孔から、貫通孔９４ｂ，電源基板８１ａの取付孔，ねじ部８３ｅのねじ孔に金属製の雄ねじを挿入して締め付け、雄ねじをねじ孔に螺合する。これにより、電源ユニット８１が電源・発射制御基板用プレート８３に完全に装着される。
【００９０】
主基板用プレート８５の延出部８５ｓおよび払出制御基板用プレート８７の延出部８７ｓは、特許請求の範囲における接続部（主基板用プレート８５と払出制御基板用プレート８７とを電気的に接続する接続部）に相当し、延出部８５ｓと延出部８７ｓとが重なり合った部分は、図１に示したＦ部に相当する。つまり、貫通孔８７ｔから貫通孔８５ｔ, 有底孔７８ａへのボルトの挿入およびナットとの嵌合により、延出部８５ｓと延出部８７ｓとが常に接触する状態に維持され、これにより、主基板用プレート８５と払出制御基板用プレート８７とが導通される。
【００９１】
払出制御基板用プレート８７の脚部８７ｐないし水平部８７ｑ，連結板９４,ねじ部８３ｅに嵌合する雄ねじ，電源・発射制御基板用プレート８３のねじ部８３ｅは、特許請求の範囲における接続部（払出制御基板用プレート８７と電源・発射制御基板用プレート８３とを電気的に接続する接続部）に相当し、連結板９４が設けられた部分は、図１に示したＥ部に相当する。つまり、払出制御基板用プレート８７の水平部８７ｑは連結板９４の重合部９４ｑと常に接触する状態に維持され、電源・発射制御基板用プレート８３のねじ部８３ｅは雄ねじを介して連結板９４の差込部９４ａと接合される。これにより、払出制御基板用プレート８７と電源・発射制御基板用プレート８３とが導通される。
【００９２】
払出制御基板８６ａおよび払出制御基板８６ａを覆うカバー８６ｗを有する払出制御ユニット８６は、前述した発射制御ユニット８２等と同様に、四箇所における雄ねじの締め付けによって払出制御基板用プレート８７上に装着される。図７では、払出制御基板用プレート８７のねじ部８７ａ〜ｄおよび位置決め部８７ｉ〜ｌ上に払出制御基板８６ａを載せたときの状態を示している。この払出制御基板８６ａおよびカバー８６ｗの装着により、機構板７０裏面への各種制御基板の取り付けが完了する。なお、払出制御ユニット８６が装着された状態において、払出制御基板８６ａと払出制御基板用プレート８７面との間には、ねじ部８７ａ〜ｄおよび位置決め部８７ｉ〜ｌの高さ分の空間が形成される。
【００９３】
位置決め部８７ｉ〜ｌは、払出制御基板８６ａの四つの取付孔を各ねじ部８７ａ〜ｄのねじ孔の位置に合わせたときに払出制御基板８６ａのグラウンド層に当接する位置に設けられている。従って、払出制御ユニット８６が払出制御基板用プレート８７に装着されることにより、払出制御基板８６ａは、そのグラウンド層が位置決め部８７ｉ〜ｌを介して払出制御基板用プレート８７に接続された状態となる。
【００９４】
次に、機構板７０の裏面に取り付けられた主基板用プレート８５が機構板７０の閉成によりランプ・音声基板用プレート５９と導通される構造につき、図９および図１０を参照しつつ説明する。図９は、遊技盤４０裏面にランプ制御基板５７および音声制御基板５８が取り付けられた状態を示す説明図であり、図１０は、機構板７０を閉じた状態におけるランプ制御基板５７および音声制御基板５８周辺の様子を示す説明図である。
【００９５】
図９に示すように、遊技盤４０裏面のランプ・音声基板用プレート５９上には、縦並びに配列されたランプ制御基板５７,音声制御基板５８と、ランプ制御基板５７および音声制御基板５８を覆うカバー６０とが装着されている。ランプ・音声基板用プレート５９は、ランプ制御基板５７および音声制御基板５８の合計面積よりも広い面積で形成されている。
【００９６】
ランプ・音声基板用プレート５９の向かい合う短辺側の端部には、略鉛直下方向に延出された形状の脚部５９ａ,５９ｂが設けられており、この脚部５９ａ,５９ｂの延出終端には、略水平方向に延出された水平部５９ｃ,５９ｄが形成されている。一方、ランプ・音声基板用プレート５９の向かい合う長辺側の端部には、カバー６０の全高をやや超える長さ分だけ略鉛直上方向に延出された壁部５９ｅ,５９ｆが設けられている。また、ランプ・音声基板用プレート５９上には、図９の雄ねじに対応する位置に、八つのねじ部および八つの位置決め部（図示せず）が、主基板用プレート８５と同様の形態で設けられている。これらの脚部５９ａ,５９ｂ，水平部５９ｃ,５９ｄ,壁部５９ｅ,５９ｆ,ねじ部および位置決め部は、ランプ・音声基板用プレート５９上を予め折れ曲がった形状に成形しておくことにより、ランプ・音声基板用プレート５９と一体として形成される。
【００９７】
ランプ制御基板５７の四隅には、ランプ制御基板５７を貫通することによって四つの取付孔が形成されており、音声制御基板５８にも同様に四つの取付孔が形成されている。また、カバー６０は、透明色の樹脂を用いて形成されており、カバー６０頂面には、カバー６０を貫通してなる四つのねじ挿入孔が、ランプ制御基板５７,音声制御基板５８の各取付孔に対応する位置に形成されている。
【００９８】
このようなランプ・音声基板用プレート５９, ランプ制御基板５７,音声制御基板５８, カバー６０は、以下のように遊技盤４０裏面に装着される。まず、ランプ・音声基板用プレート５９を遊技盤４０裏面の装着位置に配置し、水平部５９ｃ,５９ｄを遊技盤４０裏面に対して螺着する。これにより、ランプ・音声基板用プレート５９が遊技盤４０裏面に固定される。
【００９９】
次に、ランプ・音声基板用プレート５９のねじ部および位置決め部上にランプ制御基板５７,音声制御基板５８を載せて、ランプ制御基板５７,音声制御基板５８の取付孔を各ねじ部のねじ孔の位置に合わせる。次に、ランプ制御基板５７,音声制御基板５８の上方からカバー６０を被せ、カバー６０のねじ挿入孔をランプ制御基板５７,音声制御基板５８の各取付孔の位置に合わせる。このように位置を合わせた後、カバー６０の各ねじ挿入孔から、ランプ制御基板５７および音声制御基板５８の各取付孔，各ねじ部のねじ孔に金属製の雄ねじを挿入し、各雄ねじを締め付けて各ねじ部のねじ孔に螺合する。これにより、ランプ制御基板５７,音声制御基板５８およびカバー６０のランプ・音声基板用プレート５９への装着が完了する。
【０１００】
なお、ランプ制御基板５７,音声制御基板５８が装着された状態において、ランプ制御基板５７ないし音声制御基板５８とランプ・音声基板用プレート５９との間には、ねじ部および位置決め部の高さ分の空間が形成される。また、位置決め部は、ランプ制御基板５７,音声制御基板５８の各取付孔を各ねじ部のねじ孔の位置に合わせたときにランプ制御基板５７,音声制御基板５８のグラウンド層に当接する位置に設けられている。従って、ランプ制御基板５７,音声制御基板５８がランプ・音声基板用プレート５９に装着されることにより、ランプ制御基板５７,音声制御基板５８は、そのグラウンド層が位置決め部を介してランプ・音声基板用プレート５９に接続された状態となる。
【０１０１】
このようなランプ制御基板５７,音声制御基板５８の取り付け領域は、  機構板用ヒンジ７１，７９を軸として機構板７０を閉じたときには、図１０に示すような状態となる。この図１０において、二点鎖線で囲んだＸ部は、主基板用プレート８５を脚部８５ｐの外側から透視した状態を示す。
【０１０２】
図１０に示すように、機構板７０を閉じたとき、遊技盤４０裏面のランプ・音声基板用プレート５９は、機構板７０の開口部７０ａ内に納まる。機構板７０を閉じる途中において、主基板用プレート８５の脚部８５ｐ内側の弾性板９２は、ランプ・音声基板用プレート５９の壁部５９ｅに当たる。更に、機構板７０を閉じていくと、弾性板９２は、壁部５９ｅに押されながら遊技盤４０裏面に徐々に近づいていき、機構板７０を完全に閉じたときには、図１０に示すように、壁部５９ｅの外側に隣接した状態で納まる。弾性板９２は、壁部５９ｅ方向への弾性力を有しており、この弾性板９２の弾性力によって主基板用プレート８５とランプ・音声基板用プレート５９とを確実に接続することができる。
【０１０３】
主基板用プレート８５に装着された弾性板９２およびランプ・音声基板用プレート５９の壁部５９ｅは、特許請求の範囲における接続部（主基板用プレート８５とランプ・音声基板用プレート５９とを電気的に接続する接続部）に相当し、  弾性板９２と壁部５９ｅとが当接した部分は、図１に示したＨ部に相当する。つまり、機構板７０を閉じてパチンコ遊技機１０を遊技可能な状態とすることにより、弾性板９２と壁部５９ｅとが常に接触する状態に維持され、これにより、主基板用プレート８５とランプ・音声基板用プレート５９とが導通される。
【０１０４】
以上のように、相互に導電可能な四つのプレート５９，８３，８５，８７によって形成された金属板領域上に、各制御基板５７，５８，８１ａ，８２ａ，８４ａ，８６ａを、各制御基板５７，５８，８１ａ，８２ａ，８４ａ，８６ａのグラウンド層と各プレート５９，８３，８５，８７との接続を確保しつつ配設することにより、放電によって各制御基板５７，５８，８１ａ，８２ａ，８４ａ，８６ａ周辺に及んだ静電気は、各プレート５９，８３，８５，８７を通じて金属板領域全体に分散される。この結果、各制御基板５７，５８，８１ａ，８２ａ，８４ａ，８６ａの周辺において局所的に高電圧が生じることがなく、静電気によるノイズの影響は従来よりも大きく低減される。なお、上記のパチンコ遊技機１０では、上記した広い面積の金属板領域上に各制御基板５７，５８，８１ａ，８２ａ，８４ａ，８６ａを配設することに加えて、球タンク７２，タンクレール７３，ケースレール７４と賞球／貸球払出しユニット７５とを、表面抵抗値の異なる樹脂製導電材を用いて形成し、球タンク７２等に帯電した静電気を金属板９０を介して機外に除去する構成や、発射レール３０，内レール４９，外レール５１等に帯電した静電気を機外に除去する構成を採用する。このようなパチンコ遊技機１０において遊技中の静電気によるノイズの影響を測定した結果を図１１（Ｂ）のグラフに示した。
【０１０５】
図１１は、賞球や貸球の払出しの前後においてパチンコ遊技機に生じる電位差を表わすグラフである。このグラフは、電源ラインにおける電位差の変化をデータとして採取したものであり、縦軸は電位差を示し、横軸は経過時間を示す。また、図１１（Ａ）は従来のパチンコ遊技機の測定結果を、図１１（Ｂ）は本実施例のパチンコ遊技機１０の場合の測定結果を、それぞれ表わしている。図１１に示すように、賞球や貸球の払出しがなされる前においては、電源ラインにおける電位差は５ボルト前後で安定している。
【０１０６】
図１１（Ａ）と図１１（Ｂ）とを比較してわかるように、従来のパチンコ遊技機においては、賞球や貸球の払出しがなされる際に、最大で１１ボルト，最小で−２ボルトの電位差が生じ、電圧が変化する幅Ｗ２は１３ボルトとなる。これに対し、本実施例のパチンコ遊技機１０では、賞球や貸球の払出しがなされる際に、最大で６ボルト，最小で４ボルトの電位差が生じ、電圧が変化する幅Ｗ１は２ボルトとなる。このように、本実施例のパチンコ遊技機１０では、賞球や貸球の払出し時において電源ラインの電圧が変化する幅は、±１ボルト程度に止まり、従来のパチンコ遊技機の１／６程度にまで低減される。以上より、本実施例のパチンコ遊技機１０では、従来品と比べて、賞球や貸球の払出し等により生じた静電気によるノイズが電源ラインにのりにくくなっていることがわかる。
【０１０７】
以上説明した本実施例のパチンコ遊技機１０では、各制御基板５７，５８，８１ａ，８２ａ，８４ａ，８６ａが配設される範囲に、互いに導電可能な状態とされた四つのプレート５９，８３，８５，８７からなる金属板領域を設け、該金属板領域に各制御基板５７，５８，８１ａ，８２ａ，８４ａ，８６ａを、該金属板領域と各制御基板５７，５８，８１ａ，８２ａ，８４ａ，８６ａのグラウンド層との接続を確保しつつ配設する。このため、パチンコ遊技機１０内で発生した静電気が放電して各制御基板５７，５８，８１ａ，８２ａ，８４ａ，８６ａのいずれかの周辺に及んだ場合に、この静電気は、制御基板が配設される広い範囲に設けられた金属板領域に分散される。電気抵抗の小さい金属板領域中では電位差が生じにくいため、各制御基板５７，５８，８１ａ，８２ａ，８４ａ，８６ａの周辺において局所的に高電圧が生じる蓋然性が低くなる。従って、静電気をアース等によって機外に逃がさなくても、静電気が各制御基板５７，５８，８１ａ，８２ａ，８４ａ，８６ａにノイズとして作用することを防止することができる。この結果、遊技球Ｂに帯電した静電気およびパチンコ遊技機１０外部で生じたノイズの双方から各制御基板５７，５８，８１ａ，８２ａ，８４ａ，８６ａを保護し、誤作動の可能性を極力低減することができる。
【０１０８】
また、本実施例のパチンコ遊技機１０は、四つのプレート５９，８３，８５，８７からなる金属板領域を、各制御基板５７，５８，８１ａ，８２ａ，８４ａ，８６ａの合計面積を超える広い面積で設けるので、金属板領域中において生じる電位差をより低いレベルにすることができる。
【０１０９】
本実施例のパチンコ遊技機１０では、四つのプレート５９，８３，８５，８７に前記した各種の接続部を設け、この接続部を介して各プレート５９，８３，８５，８７間を互いに導通し、一の金属板領域を形成する。従って、各プレート５９，８３，８５，８７を階層的に配置した場合であっても、プレート５９，８３，８５，８７上に配設された各制御基板５７，５８，８１ａ，８２ａ，８４ａ，８６ａを静電気やノイズから保護することが可能となり、各制御基板５７，５８，８１ａ，８２ａ，８４ａ，８６ａの配置の自由度を高めることができる。
【０１１０】
また、本実施例のパチンコ遊技機１０では、主基板用プレート８５が敷設された機構板７０を閉じることによって機構板７０が遊技盤４０の裏面に重合されたとき、主基板用プレート８５に設けられた金属製の弾性板９２が遊技盤４０の裏面のランプ・音声基板用プレート５９の壁部５９ｅに当接することにより、ランプ・音声基板用プレート５９と主基板用プレート８５とを電気的に接続する。これにより、各プレート５９，８３，８５，８７間が互いに導通される。従って、遊技盤４０，機構板７０のそれぞれに制御基板を配設した場合であっても、各制御基板５７，５８，８１ａ，８２ａ，８４ａ，８６ａを静電気やノイズから保護することが可能となり、多数の制御基板５７，５８，８１ａ，８２ａ，８４ａ，８６ａを効率よく配置することができる。
【０１１１】
本実施例のパチンコ遊技機１０では、機構板７０の表面に遊技球Ｂの流路である分岐路７０ｃおよびアウト球排出通路７０ｄを形成するとともに、この分岐路７０ｃおよびアウト球排出通路７０ｄの形成範囲に対応する機構板７０の裏面に電源・発射制御基板用プレート８３を敷設する。従って、分岐路７０ｃおよびアウト球排出通路７０ｄ内の遊技球Ｂの流動によって発生した静電気を、発生地点の近傍の金属板領域に速やかに導くことができる。また、分岐路７０ｃおよびアウト球排出通路７０ｄと電源・発射制御基板用プレート８３の間には樹脂製の機構板７０が介在するので、分岐路７０ｃおよびアウト球排出通路７０ｄ内の遊技球Ｂの流動に伴って発生した静電気は、機構板７０の板体に遮られ、各プレート８３，８５，８７上の制御基板８１ａ，８２ａ，８４ａ，８６ａに直接に及びにくくなる。従って、遊技球Ｂの流動中に発生する静電気から制御基板８１ａ，８２ａ，８４ａ，８６ａを確実に保護することができる。
【０１１２】
以上本発明の実施例について説明したが、本発明は、こうした実施例に限定されるものではなく、発明の要旨を逸脱しない範囲内において、種々なる態様で実施可能である。
【０１１３】
例えば、上記実施例では、各制御基板５７，５８，８１ａ，８２ａ，８４ａ，８６ａのグラウンド層を、位置決め部５９ｉ〜ｐ，８３ｉ〜ｐ，８５ｉ〜ｌ，８７ｉ〜ｌを介して各プレート５９，８３，８５，８７に接続したが、これ以外の方法で各制御基板５７，５８，８１ａ，８２ａ，８４ａ，８６ａのグラウンド層と各プレート５９，８３，８５，８７との接続を確保することも可能である。例えば、各制御基板５７，５８，８１ａ．８２ａ，８４ａ．８６ａの取付孔の内周壁にグラウンド層を設けておき、このグラウンド層を、取付孔に挿入された金属製の雄ねじを介して各プレート５９，８３，８５，８７に接続する構成等を考えることができる。
【０１１４】
上記実施例では、各プレート５９，８３，８５，８７におけるねじ部，位置決め部，延出部，脚部および水平部の各部を、各プレート５９，８３，８５，８７と一体として成形したが、これらの各部を各プレート５９，８３，８５，８７とは別体として成形しておき、後に各プレート５９，８３，８５，８７に装着する構成としても差し支えない。また、これらの各部が各プレート５９，８３，８５，８７に設けられる位置は、制御基板の配線設計状態等に合わせて任意の位置に変更することができる。
【０１１５】
また、上記実施例では、弾性板９２や連結板９４を、各プレート８３，８５，８７とは別体として成形したが、各プレート８３，８５，８７に弾性板９２や連結板９４の形状を形取ることにより、弾性板９２や連結板９４を各プレート８３，８５，８７と一体として成形することも可能である。
【０１１６】
上記実施例では、機構板７０の裏面に電源・発射制御基板用プレート８３を敷設し、この電源・発射制御基板用プレート８３の上方に主基板用プレート８５および払出制御基板用プレート８７を階層的に設けたが、これ以外の態様で各プレート８３，８５，８７を設けてもよい。例えば、各プレート８３，８５，８７を機構板７０裏面に並べて設置する構成などを考えることができる。また、各プレート５９，８３，８５，８７を機構板７０，遊技盤４０，内枠２０のいずれに敷設するかは自由であり、例えば、ランプ・音声基板用プレート５９を機構板７０に敷設することも可能である。
【０１１７】
また、上記実施例では、遊技盤４０裏面のランプ・音声基板用プレート５９に壁部５９ｅを、機構板７０裏面の主基板用プレート８５に弾性板９２を、それぞれ設け、機構板７０を閉じることによって弾性板９２を壁部５９ｅに当接する構成を採用したが、この弾性板９２に替えて、壁部５９ｅに当接可能な長さであって弾性力を有しない金属板を採用しても差し支えない。また、ランプ・音声基板用プレート５９に壁部５９ｅを形成せず、機構板７０を閉じたときに弾性板９２や弾性力を有しない金属板がランプ・音声基板用プレート５９の表面に当接する構成とすることも可能である。
【０１１８】
加えて、上記実施例では、機構板７０を閉じて遊技が実行可能な状態となったときに、各プレート５９，８３，８５，８７間を互いに導通させる構成を採用したが、機構板７０を開いたままの状態において各プレート５９，８３，８５，８７間を互いに導通させても差し支えない。
【０１１９】
上記実施例において、連結板９４を設けない構成としても差し支えない。連結板９４を設けなくても、各プレート５９，８３，８５，８７が図１（Ｂ）に示したＦ〜Ｈ部において接続されることにより、各プレート５９，８３，８５，８７間は主基板用プレート８５を介して互いに導通される。従って、上記実施例とほぼ同様の効果を奏することができる。
【０１２０】
また、上記実施例では、四つのプレート５９，８３，８５，８７を互いに導通させることにより一の金属板領域を形成したが、互いに導通させるプレートの数は三以下や五以上であっても差し支えない。勿論、全ての制御基板５７，５８，８１ａ，８２ａ，８４ａ，８６ａを一枚のプレート上に配設してもよい。
【０１２１】
更に、上記実施例では、金属製のプレート５９，８３，８５，８７によって所定の面積の金属板領域を形成したが、これらのプレート５９，８３，８５，８７を金属以外の導電材で成形しても差し支えない。例えば、プレート５９，８３，８５，８７の成形材料としてカーボンや導電性樹脂等を用いれば、上記実施例とほぼ同様の効果を奏することができる。
【０１２２】
本発明の実施例であるパチンコ遊技機１０は、球貸し等による上皿２４への遊技球Ｂの補充や、上皿２４ないし下皿２５に払い出された遊技球Ｂの機外への取り出しが可能に構成されているが、機内に遊技用の球が封入され、この球を流通させることにより遊技を行なう他の遊技機にも、本発明を適用することができる。また、上記実施例のパチンコ遊技機１０では、遊技球Ｂの普通入賞口４３等の入賞口への侵入に伴って所定数の遊技球Ｂを賞球として払い出すが、このような賞球に替えて所定数のメタルや景品等を払い出す他の遊技機にも、本発明を適用することができる。このような遊技機として、アレンジボール，パチンコ玩具等を考えることができる。
【図面の簡単な説明】
【０１２３】
【図１】本発明の特徴を実施例であるパチンコ遊技機１０を用いて示す説明図である。
【図２】パチンコ遊技機１０の前面を示す説明図である。
【図３】パチンコ遊技機１０の後面を示す説明図である。
【図４】電源ユニット８１周辺における電源の入出力配線の状態を示す説明図である。
【図５】機構板７０の表面を略記して示す説明図である。
【図６】金属板９０，ケースレール７４，賞球／貸球払出しユニット７５および鈴桶ベース７７が機構板７０に取り付けられる様子を示す説明図である。
【図７】機構板７０の裏面における各種制御基板の取り付け状態を示す説明図である。
【図８】主基板用プレート８５が機構板７０裏面に固定された状態における脚部８５ｐの周辺を、機構板７０裏面の正面から見たときの様子を示す説明図である。
【図９】遊技盤４０裏面にランプ制御基板５７および音声制御基板５８が取り付けられた状態を示す説明図である。
【図１０】機構板７０を閉めた状態でのランプ制御基板５７および音声制御基板５８周辺の様子を示す説明図である。
【図１１】賞球や貸球の払出しの前後においてパチンコ遊技機に生じる電位差を表わすグラフである。
【符号の説明】
【０１２４】
１０...パチンコ遊技機
１２...外枠
１３...内枠用ヒンジ
１５...プリペイドカードユニット
１６...案内ユニット
１６ｂ...貸出ボタン
１６ｃ...返却ボタン
１７...カードユニット電源コード
２０...内枠
２１...ガラス枠用ヒンジ
２２...ガラス枠
２３...表示ランプ
２４...上皿
２５...下皿
２６...発射操作ユニット
２６ａ...発射ハンドル
２８...錠
２９...係合金具
３０...発射レール
３１...発射機構ユニット
３２ａ，３２ｂ...支持片
３３...受け金具
４０...遊技盤
４１...特別図柄表示装置
４２...普通図柄表示装置
４３...普通入賞口
４４...始動入賞口
４５...普通図柄表示装置作動ゲート
４６...大入賞口
４７...風車
４８...ランプ風車
４９...内レール
５０...ファール球止め
５１...外レール
５２...返しゴム
５３...アウト口
５４...表示ランプ
５６...液晶表示器
５７...ランプ制御基板
５８...音声制御基板
５９...ランプ・音声基板用プレート
５９ａ,５９ｂ...脚部
５９ｃ,５９ｄ...水平部
５９ｅ,５９ｆ...壁部
６０...カバー
７０...機構板
７０ａ...開口部
７０ｂ...案内路
７０ｃ...分岐路
７０ｄ...アウト球排出通路
７１...機構板用ヒンジ
７２...球タンク
７２ａ，７２ｂ...凸部
７３...タンクレール
７４...ケースレール
７４ａ...進入口
７４ｂ...分岐壁
７４ｃ...賞球用通路
７４ｄ...貸球用通路
７４ｅ...賞球用遊技球通過口
７４ｆ...貸球用遊技球通過口
７５...賞球／貸球払出しユニット
７５ａ，７５ｂ...モータ
７５ｃ...賞球排出口
７５ｄ...貸球排出口
７６ａ，７６ｂ...保護カバー
７７...鈴桶ベース
７７ａ...通路
７７ｂ...第一出口
７７ｃ...ベル
７７ｄ...ガイド板
７７ｅ...仕切り板
７７ｆ...第ニ出口
７８...鈴桶カバー
７８ａ...有底孔
７９...機構板用ヒンジ
８０...電源・外部端子ユニット
８０ａ...電源スイッチ
８０ｂ...遊技機電源コード
８０ｃ...遊技盤用外部端子板
８０ｄ...枠用外部端子板
８１...電源ユニット
８１ａ...電源基板
８１ｗ...カバー
８１ｗｓ...スリット
８２...発射制御ユニット
８２ａ...発射制御基板
８２ｗ...カバー
８３...電源・発射制御基板用プレート
８３ａ〜ｄ...ねじ部
８３ｅ〜ｈ...ねじ部
８３ｉ〜ｌ...位置決め部
８３ｍ〜ｐ...位置決め部
８３ｑ...延出部
８３ｒ...貫通孔
８４...主制御ユニット
８４ａ...主基板
８４ｗ...カバー
８５...主基板用プレート
８５ａ〜ｄ...ねじ部
８５ｉ〜ｌ...位置決め部
８５ｐ...脚部
８５ｑ...水平部
８５ｒ...貫通孔
８５ｓ...延出部
８５ｔ...貫通孔
８６...払出制御ユニット
８６ａ...払出制御基板
８６ｗ...カバー
８７...払出制御基板用プレート
８７ａ〜ｄ...ねじ部
８７ｉ〜ｌ...位置決め部
８７ｐ...脚部
８７ｑ...水平部
８７ｒ...貫通孔
８７ｓ...延出部
８７ｔ...貫通孔
８９...ナット
９０...金属板
９０ａ，９０ｂ...折曲部
９２...弾性板
９４...連結板
９４ａ...差込部
９４ｂ...貫通孔
９４ｑ...重合部
９４ｒ...貫通孔
Ｂ...遊技球
【図１】
2004305775.tif 000003
【図２】
2004305775.tif 000004
【図３】
2004305775.tif 000005
【図４】
2004305775.tif 000006
【図５】
2004305775.tif 000007
【図６】
2004305775.tif 000008
【図７】
2004305775.tif 000009
【図８】
2004305775.tif 000010
【図９】
2004305775.tif 000011
【図１０】
2004305775.tif 000012
【図１１】
2004305775.tif 000013